(57)【特許請求の範囲】
【請求項１】
方法において、
システム情報ブロック（ＳＩＢ）を受信することと、ここにおいて、前記ＳＩＢはフェムトセル使用のために確保される１組の識別子を示しており、
ユーザ機器（ＵＥ）が、少なくとも１つのフェムトセルにアクセスすることを許可されるかどうかを決定することと、
前記ＵＥが少なくとも１つのフェムトセルにアクセスすることを許可されることに応答して、フェムトセル使用のために確保される前記１組の識別子を使用しているフェムトセルをサーチすることと、
前記ＵＥが少なくとも１つのフェムトセルにアクセスすることを許可されないことに応答して、フェムトセル使用のために確保される前記１組の識別子の内の識別子を割り当てられるセルを無視することと、を含む方法。
【請求項２】
ユーザ機器（ＵＥ）のローカルメモリにフェムトセル使用のために確保される前記１組の識別子を格納することをさらに含む請求項１記載の方法。
【請求項３】
前記識別子は、スクランブリングコードまたは物理セル識別子を含む請求項１記載の方法。
【請求項４】
システム情報ブロック（ＳＩＢ）を受信し、ここにおいて、前記ＳＩＢはフェムトセル使用のために確保される１組の識別子を示ししており、
ユーザ機器（ＵＥ）が、少なくとも１つのフェムトセルにアクセスすることを許可されるかどうかを決定し、
前記ＵＥが少なくとも１つのフェムトセルにアクセスすることを許可されることに応答して、フェムトセル使用のために確保される前記１組の識別子を使用しているフェムトセルをサーチし、
前記ＵＥが少なくとも１つのフェムトセルにアクセスすることを許可されないことに応答して、フェムトセル使用のために確保される前記１組の識別子の内の識別子を割り当てられるセルを無視するように構成された少なくとも１つのプロセッサ
を含むワイヤレス通信装置。
【請求項５】
前記少なくとも１つのプロセッサは、ユーザ機器（ＵＥ）のローカルメモリに、フェムトセル使用のために確保される前記１組の識別子を格納するようにさらに構成されている請求項４記載のワイヤレス通信装置。
【請求項６】
前記識別子は、スクランブリングコードまたは物理セル識別子を具備する請求項４記載のワイヤレス通信装置。
【請求項７】
システム情報ブロック（ＳＩＢ）を受信する手段と、ここにおいて、前記ＳＩＢはフェムトセル使用のために確保される１組の識別子を示しており、
ユーザ機器（ＵＥ）が、少なくとも１つのフェムトセルにアクセスすることを許可されるかどうかを決定する手段と、
前記ＵＥが少なくとも１つのフェムトセルにアクセスすることを許可されることに応答して、フェムトセル使用のために確保される前記１組の識別子を使用しているフェムトセルをサーチする手段と、
前記ＵＥが少なくとも１つのフェムトセルにアクセスすることを許可されないことに応答して、フェムトセル使用のために確保される前記１組の識別子の内の識別子を割り当てられるセルを無視する手段と、
を具備するワイヤレス通信装置。
【請求項８】
ユーザ装置（ＵＥ）のローカルメモリに、フェムトセル使用のために確保される前記１組の識別子を格納するための手段をさらに具備する請求項７記載のワイヤレス通信装置。
【請求項９】
前記識別子は、スクランブリングコードまたは物理セル識別子を具備する請求項７記載のワイヤレス通信装置。
【請求項１０】
少なくとも１つのコンピュータに、システム情報ブロック（ＳＩＢ）を受信させるためのコードと、ここにおいて、前記ＳＩＢはフェムトセル使用のために確保される１組の識別子を示しており、
前記少なくとも１つのコンピュータに、ユーザ機器（ＵＥ）が少なくとも１つのフェムトセルにアクセスすることを許可されるかどうかを決定させるためのコードと、
前記少なくとも１つのコンピュータに、前記ＵＥが少なくとも１つのフェムトセルにアクセスすることを許可されることに応答して、フェムトセル使用のために確保される前記１組の識別子を使用しているフェムトセルをサーチさせるためのコードと、
前記少なくとも１つのコンピュータに、前記ＵＥが少なくとも１つのフェムトセルにアクセスすることを許可されないことに応答して、フェムトセル使用のために確保される前記１組の識別子の内の識別子を割り当てられるセルを無視させるためのコードと、
を記録したコンピュータ読取り可能な記録媒体。
【請求項１１】
前記少なくとも１つのコンピュータに、ユーザ機器（ＵＥ）のローカルメモリにフェムトセル使用のために確保される前記１組の識別子を格納させるためのコードをさらに記録した請求項１０記載のコンピュータ読取り可能な記録媒体。
【請求項１２】
前記識別子は、スクランブリングコードまたは物理セル識別子を具備する請求項１０記載のコンピュータ読取り可能な記録媒体。
【発明の詳細な説明】
【合衆国法典第３５部第１１９条に基づく優先権の主張】
【０００１】
特許に対する本出願は、２００８年３月２１日に出願され、本出願の譲受人に譲渡され、参照により明白にここに組み込まれている、“ホームノードＢを有する配備におけるセルの選択および再選択”と題する仮出願第６１／０３８，６６６号に対する優先権を主張する。
【分野】
【０００２】
以下の記述は一般に、ワイヤレス通信に関し、より詳細には、ホームノードＢ中の配備におけるセルの選択および再選択に関する。
【背景】
【０００３】
ワイヤレス通信システムは、例えば、音声、データなどのようなさまざまなタイプの通信コンテンツを提供するために広く展開されている。通常のワイヤレス通信システムは、利用可能なシステムリソース（例えば、帯域幅、送信電力、．．．）を共有することにより、複数のユーザとの通信をサポートできる多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらに類似するものを含んでいてもよい。さらに、システムは、第３世代パートナーシップ・プロジェクト（３ＧＰＰ）、３ＧＰＰロングタームエボリューション（ＬＴＥ）、ウルトラモバイルブロードバンド（ＵＭＢ）、および／または、最適化エボリューションデータ（ＥＶ−ＤＯ）のような複数搬送波ワイヤレス仕様、それらの１つ以上の改訂などに準拠できる。
【０００４】
一般に、ワイヤレス多元接続通信システムは、複数の移動デバイスに対する通信を同時にサポートしてもよい。各移動デバイスは、フォワードリンクおよびリバースリンク上での送信により、１つ以上の基地局と通信してもよい。フォワードリンク（すなわちダウンリンク）は、基地局から移動デバイスへの通信リンクを指し、リバースリンク（すなわちアップリンク）は、移動デバイスから基地局への通信リンクを指す。さらに、移動デバイスと基地局との間の通信は、単一入力単一出力（ＳＩＳＯ）システム、複数入力単一出力（ＭＩＳＯ）システム、複数入力複数出力（ＭＩＭＯ）システムなどによって確立してもよい。さらに、ピア・トゥ・ピアのワイヤレスネットワーク構成において、移動デバイスは、他の移動デバイスと通信できる（および／または基地局は他の基地局と通信できる）。
【概要】
【０００５】
１つ以上の観点の基本的な理解を提供するために、以下の記述は、そのような観点の簡略化した概要を与える。この概要は、考えられるすべての観点の広範な概観ではなく、すべての観点の主なまたは重要な要素を識別するようにも、いくつかのまたはすべての観点の範囲を詳細に描写するようにも向けられていない。その唯一の目的は、後に与えられるより詳細な説明に対するプレリュードとして、簡略化した形態で１つ以上の観点のいくつかの概念を与えることである。
【０００６】
関連した観点にしたがって、方法は、ホームノード基地局とノード基地局とに関連した、セルの選択を容易にする。方法は、階層構造を利用して、少なくとも１つのノード基地局（ノードＢ）と、少なくとも１つのホームノード基地局（ホームノードＢ）とを組織することができ、階層構造は、ノードＢよりもホームノードＢを優先させる。方法は、ノードＢと、ホームノードＢとのうちの少なくとも１つから、システム情報ブロック（ＳＩＢ）に関連したデータの一部を受信することをさらに含むことができ、ＳＩＢは、ユーザ機器（ＵＥ）がホームノードＢを発見することを可能にするように構成されている。方法はまた、ホームノードＢに関連した検出通知をマクロネットワークに伝達することを含むことができる。方法は、階層構造と、ＳＩＢに関連したデータの一部とのうちの少なくとも１つを用いて、ホームノードＢまたはノードＢからＵＥが選択することを可能にすることを含むことができる。
【０００７】
別の観点は、ワイヤレス通信装置に関する。ワイヤレス通信装置は、少なくとも１つのノード基地局（ノードＢ）と、少なくとも１つのホームノード基地局（ホームノードＢ）とを、ノードＢよりもホームノードＢを優先させる階層構造に組織し、ノードＢと、ホームノードＢとのうちの少なくとも１つから、システム情報ブロック（ＳＩＢ）を含む通信を受信し、ホームノードＢを識別するためにＳＩＢを活用し、ＵＥによる手動のサーチを利用して、ホームノードＢを発見し、ＰＬＭＮＩＤを評価して、ホームノードＢとノードＢとのうちの少なくとも１つを識別し、ＬＡＣの割当てを受信して、許可されているホームノードＢを許可されていないホームノードＢと区別し、ホームノードＢに関連した検出通知をマクロネットワークに伝達し、階層構造と、ＳＩＢに関連したデータの一部と、ＰＬＭＮＩＤと、手動のサーチと、ＬＡＣの割当てとのうちの少なくとも１つを用いて、ホームノードＢまたはノードＢからＵＥが選択することを可能にするように構成されている少なくとも１つのプロセッサを含むことができる。
【０００８】
さらに別の観点は、ワイヤレス通信装置に関し、ワイヤレス通信装置は、ホームノード基地局がノード基地局よりも優先されるユーザ機器に対して、効率的な選択を可能にする。ワイヤレス通信装置は、ホームノード基地局（ホームノードＢ）と、マクロ基地局に関係するノード基地局（ノードＢ）とのうちの少なくとも１つに関連したデータの一部を受信する手段を含むことができる。さらに、ワイヤレス通信装置は、データの一部を評価してホームノードＢおよびノードＢ間の優先順位を識別する手段を備えることができる。ワイヤレス通信装置は、評価に基づいて、ノードＢよりも、ＵＥの接続に対してホームノードＢを選択する手段を含むことができる。ワイヤレス通信装置は、選択に基づいて、ホームノードＢと、ノードＢとのうちの少なくとも１つにＵＥを接続する手段をさらに備えることができる。
【０００９】
さらに別の観点は、少なくとも１つのコンピュータに、少なくとも１つのノード基地局（ノードＢ）と、少なくとも１つのホームノード基地局（ホームノードＢ）とを、ノードＢよりもホームノードＢを優先させる階層構造に組織させるためのコードと、少なくとも１つのコンピュータに、ノードＢと、ホームノードＢとのうちの少なくとも１つから、システム情報ブロック（ＳＩＢ）を含む通信を受信させるためのコードと、少なくとも１つのコンピュータに、ホームノードＢを識別するためにＳＩＢを活用させるためのコードと、少なくとも１つのコンピュータに、ＵＥによる手動のサーチを利用してホームノードＢを発見させるためのコードと、少なくとも１つのコンピュータに、ＰＬＭＮＩＤを評価してホームノードＢまたはノードＢのうちの少なくとも１つを識別させるためのコードと、少なくとも１つのコンピュータに、ＬＡＣの割当てを受信して許可されているホームノードＢを許可されていないホームノードＢと区別させるためのコードと、少なくとも１つのコンピュータに、ホームノードＢに関連した検出通知をマクロネットワークに伝達させるためのコードと、少なくとも１つのコンピュータに、階層構造と、ＳＩＢに関連したデータの一部と、ＰＬＭＮＩＤと、手動のサーチと、ＬＡＣの割当てとのうちの少なくとも１つを用いてホームノードＢまたはノードＢからＵＥが選択することを可能にさせるためのコードと、を有するコンピュータ読取り可能媒体を備えているコンピュータプログラムプロダクトに関する。
【００１０】
他の観点にしたがって、装置は、データの一部を受信するモジュールであって、データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである受信機モジュールと、受信したデータの一部に基づいて、接続のためのホームノードＢと、接続のためのノードＢとのうちの少なくとも１つを識別するモジュールであって、識別されたホームノードＢをマクロネットワークに伝達する選択モジュールと、ユーザにより開始される手動のリクエストに基づいて、少なくとも１つのホームノードＢを発見するジュールであって、発見は、データの一部を活用するサーチモジュールとを含むことができる。
【００１１】
他の観点にしたがって、方法は、ホームノード基地局がノード基地局よりも優先されるユーザ機器に対して、効率的な選択を容易にする。方法は、ユーザ機器（ＵＥ）から、ホームノード基地局（ホームノードＢ）に関係する検出通知を受信することを含むことができ、検出通知は、接続のためのホームノードＢを識別する。さらに、方法は、少なくとも１つのノード基地局（ノードＢ）と、少なくとも１つのホームノードＢとを、ノードＢよりもホームノードＢに、ＵＥに対する接続を優先させる階層構造内に組織することを含むことができる。方法は、階層構造のうちの１つに基づいて、ＵＥと、ホームノードＢおよびノードＢのうちの少なくとも１つとの間に接続を確立することとをさらに含むことができる。
【００１２】
別の観点は、ワイヤレス通信装置に関する。ワイヤレス通信装置は、ホームノード基地局（ホームノードＢ）に関係し、接続のためのホームノードＢを識別する検出通知を、ユーザ機器（ＵＥ）から受信し、少なくとも１つのノード基地局（ノードＢ）と、少なくとも１つのホームノードＢとを、ノードＢよりもホームノードＢに、ＵＥに対する接続を優先させる階層構造内に組織し、階層構造のうちの１つに基づいて、ＵＥと、ホームノードＢおよびノードＢのうちの少なくとも１つとの間に接続を確立するように構成されている少なくとも１つのプロセッサを含むことができる。
【００１３】
別の観点は、接続のためのホームノード基地局の検出の伝達を可能にするワイヤレス通信装置に関する。ワイヤレス通信装置は、第１のＵＥから、検出されたホームノード基地局（ホームノードＢ）に関連した通知を受信する手段を含むことができる。ワイヤレス通信装置は、検出されたホームノードＢに関連した情報を第２のＵＥに伝達する手段をさらに含むことができる。ワイヤレス通信装置は、検出されたホームノードＢに関連したデータの一部を活用して、ホームノードＢをノードＢと区別する手段を含むことができる。さらに、ワイヤレス通信装置は、データの一部に基づいて、ホームノードＢまたはノードＢのうちの少なくとも１つにＵＥが接続することを可能にする手段を含むことができる。
【００１４】
さらに別の観点は、少なくとも１つのコンピュータに、ユーザ機器（ＵＥ）から、ホームノード基地局（ホームノードＢ）に関係する検出通知を受信させるためのコードであって、検出通知は、接続のためのホームノードＢを識別するコードと、少なくとも１つのコンピュータに、少なくとも１つのノード基地局（ノードＢ）と、少なくとも１つのホームノードＢとを、ノードＢよりもホームノードＢに、ＵＥに対する接続を優先させる階層構造内に組織させるためのコードと、少なくとも１つのコンピュータに、階層構造のうちの１つに基づいて、ＵＥと、ホームノードＢおよびノードＢのうちの少なくとも１つとの間の接続を可能にさせるためのコードとを有するコンピュータ読取り可能媒体を備えているコンピュータプログラムプロダクトに関する。
【００１５】
他の観点にしたがって、装置は、ユーザ機器（ＵＥ）から、検出されたホームノード基地局（ホームノードＢ）を受信する受信機モジュールと、階層構造を利用して、少なくとも１つのノード基地局（ノードＢ）と、少なくとも１つの検出されたホームノードＢとを組織するモジュールであって、階層構造は、ノードＢよりも検出されたホームノードＢを優先させるオーガナイザーモジュールと、ＵＥにデータの一部を伝達するモジュールであって、データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである送信機モジュールとを含むことができる。
【００１６】
先のおよび関連する目的を達成するために、１つ以上の実施形態は、以下で十分に記述し、特に特許請求の範囲において示す特徴を備えている。以下の記述および添付図面は、１つ以上の観点のいくつかの例示的な特徴を詳細に示す。これらの特徴は、さまざまな実施形態の原理を用いてもよいさまざまな方法のうちのほんのいくつかを表すにすぎず、本記述は、このようなすべての観点およびそれらの均等物を含むように向けられている。
【図面の簡単な説明】
【００１７】
【図１】図１は、ここで示すさまざまな観点にしたがった、ワイヤレス通信システムの説明図である。
【図２】図２は、ワイヤレス通信環境内で使用する例示的な通信装置の説明図である。
【図３】図３は、ホームノード基地局およびノード基地局に関連したセル選択を容易にする、例示的なワイヤレス通信システムの説明図である。
【図４】図４は、ホームノード基地局がノード基地局に対して優先されるユーザ機器のために効率的な選択を可能にする例示的な方法の説明図である。
【図５】図５は、接続のためのホームノード基地局の検出を伝達する例示的な方法の説明図である。
【図６】図６は、ワイヤレス通信システム中のホームノード基地局の検出に関連した情報の伝達を容易にする例示的な移動デバイスの説明図である。
【図７】図７は、ワイヤレス通信環境において、ノード基地局よりもホームノード基地局の選択を容易にする例示的なシステムの説明図である。
【図８】図８は、ここで記述するさまざまなシステムおよび方法に関して使用できる例示的なワイヤレスネットワーク環境の説明図である。
【図９】図９は、ホームノード基地局がノード基地局よりも優先されるユーザ機器のために効率的な選択を容易にする例示的なシステムの説明図である。
【図１０】図１０は、接続のためのホームノード基地局の検出を伝達できる例示的なシステムの説明図である。
【詳細な説明】
【００１８】
図面に関連して、さまざまな観点をこれから記述する。以下の記述において、説明のため、１つ以上の観点の完全な理解を提供するために、多数の特定の詳細な説明を述べる。しかしながら、これらの特定の詳細な説明なしに、そのような観点を実施できることは明白であるかもしれない。
【００１９】
本出願中で使用されるような、用語“コンポーネント”、“モジュール”、“システム”、およびこれらに類似するものは、限定的ではないが、ハードウェア、ファームウェア、ハードウェアとソフトウェアとの組み合わせ、ソフトウェアまたは実行中のソフトウェアのような、コンピュータ関連エンティティを含むように向けられている。例えば、コンポーネントはプロセッサ上で実行するプロセス、プロセッサ、オブジェクト、実行ファイル、実行のスレッド、プログラム、および／またはコンピュータであってもよいが、それだけに限られない。実例として、計算デバイス上で実行するアプリケーションと計算デバイスとの両方をコンポーネントとすることができる。１つ以上のコンポーネントが１つのプロセスおよび／または実行のスレッド内に存在してもよく、コンポーネントが１つのコンピュータ上にローカライズされてもよく、および／または２つ以上のコンピュータ間に分散されてもよい。また、これらのコンポーネントは、記憶したさまざまなデータ構造を有するさまざまなコンピュータ読み取り可能媒体から実行できる。コンポーネントは、ローカルシステム中の、分散システム中の別のコンポーネントと相互に対話する、および／またはインターネットのようなネットワークを通して、信号により他のシステムと相互に対話する、１つのコンポーネントからのデータのような、１つ以上のデータパケットを有する信号にしたがうような、ローカルおよび／またはリモートプロセスを通して通信してもよい。
【００２０】
さらに、端末に関連して、さまざまな実施形態をここで記述する。端末は、ワイヤード端末またはワイヤレス端末とすることができる。端末は、システム、デバイス、加入者ユニット、加入者局、移動局、移動、移動デバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続機能を有するハンドヘルドデバイス、計算デバイス、またはワイヤレスモデムに接続される他の処理デバイスであってもよい。さらに基地局に関連して、さまざまな観点をここで記述する。基地局は、ワイヤレス端末と通信するために利用してもよく、アクセスポイント、ノードＢ、または他のいくつかの専門用語で呼ばれることもある。
【００２１】
さらに、用語“または”は、排他的な“または”ではなく、包括的な“または”を意味するように向けられている。すなわち、特に指定しない限り、または、文脈から明らかでない限り、句“ＸはＡまたはＢを用いる”は、次の例のいずれかにより満たされる；ＸがＡを用いる；ＸがＢを用いる；または、ＸがＡおよびＢの両方を用いる。さらに、本明細書および特許請求の範囲において使用されるとき、冠詞“１つ（ａ）”および“１つ（ａｎ）”は一般的に、特に指定しない限り、または、単数の形態向けられていることが文脈から明らかでない限り、“１つ以上の”を意味するように解釈すべきである。
【００２２】
ここで記述する技術を、さまざまなワイヤレス通信システムに対して使用してもよく、さまざまなワイヤレス通信システムは、ＣＤＭＡ、ＴＤＭＡ、ＦＤＭＡ、ＯＦＤＭＡ、ＳＣ−ＦＤＭＡ、および他のシステムのようなものである。用語“システム”および“ネットワーク”は、区別なく使用されることが多い。ＣＤＭＡシステムは、ユニバーサル地上無線アクセス（ＵＴＲＡ）や、ｃｄｍａ２０００などのような無線技術を実現してもよい。ＵＴＲＡは、広帯域ＣＤＭＡ（Ｗ−ＣＤＭＡ）と、ＣＤＭＡの他の変形体とを含む。さらに、ｃｄｍａ２０００は、ＩＳ−２０００、ＩＳ−９５およびＩＳ−８５６の標準規格をカバーする。ＴＤＭＡシステムは、移動体通信用グローバルシステム（ＧＳＭ（登録商標））のような無線技術を実現してもよい。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭなどのような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用する、ＵＭＴＳのリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥおよびＧＳＭは、“第３世代パートナーシップ・プロジェクト”（３ＧＰＰ）と名付けられた組織からの文書で説明されている。さらに、ｃｄｍａ２０００およびＵＭＢは、“第３世代パートナーシップ・プロジェクト２”（３ＧＰＰ２）と名付けられた組織からの文書で説明されている。さらに、そのようなワイヤレス通信システムは、追加として、対になっていない、無免許のスペクトルを使用することが多い、ピアツーピア（例えば、移動―移動）アドホックネットワークシステムと、８０２．ｘｘワイヤレスＬＡＮと、ブルートゥース（登録商標）と、他の任意の短距離または長距離のワイヤレス通信技術とを含んでいてもよい。
【００２３】
多数のデバイス、コンポーネント、モジュールおよびこれらに類似するものを含んでいてもよいシステムに関して、さまざまな観点または特徴を与えるだろう。さまざまなシステムは、追加のデバイス、コンポーネント、モジュールなどを含んでもよく、および／または、図に関連して説明する、デバイス、コンポーネント、モジュールなどのすべてを
含んでいなくてもよいことを、理解および認識すべきである。これらのアプローチの組み合わせを使用してもよい。
【００２４】
これから図１を参照すると、ワイヤレス通信システム１００が、ここで与えられるさまざまな実施形態にしたがって図示されている。システム１００は、複数のアンテナグループを含むことができる基地局１０２を備えている。例えば、１つのアンテナグループがアンテナ１０４および１０６を含むことができ、別のグループがアンテナ１０８および１１０を含むことができ、さらなるグループがアンテナ１１２および１１４を含むことができる。２つのアンテナが各アンテナグループに対して図示されているが、より多い、または、より少ないアンテナを各グループに対して利用できる。基地局１０２はさらに、送信機チェーンおよび受信機チェーンを含むことができ、当業者によって理解されるように、送信機チェーンおよび受信機チェーンのそれぞれは、信号の送信および受信に関係する複数のコンポーネント（例えば、プロセッサ、変調器、マルチプレクサ、復調器、デマルチプレクサ、アンテナなど）を備えることができる。
【００２５】
基地局１０２は、移動デバイス１１６および移動デバイス１２２のような１つ以上の移動デバイスと通信できる。しかしながら、基地局１０２は、実質的に、移動デバイス１１６および１２２に類似する任意の数の移動デバイスと通信できることを理解すべきである。移動デバイス１１６および１２２は、例えば、セルラ電話機、スマート電話機、ラップトップ、ハンドヘルド通信デバイス、ハンドヘルド計算デバイス、衛星ラジオ、全地球測位システム、ＰＤＡ、および／またはワイヤレス通信システム１００によって通信するための他の任意の適切なデバイスとすることができる。描写したように、移動デバイス１１６は、アンテナ１１２および１１４と通信しており、ここでアンテナ１１２および１１４は、フォワードリンク１１８によって移動デバイス１１６に情報を送信し、リバースリンク１２０によって移動デバイス１１６から情報を受信する。さらに、移動デバイス１２２は、アンテナ１０４および１０６と通信しており、ここでアンテナ１０４および１０６は、フォワードリンク１２４によって移動デバイス１２２に情報を送信し、リバースリンク１２６によって移動デバイス１２２から情報を受信する。例えば、周波数分割複信（ＦＤＤ）システムにおいて、フォワードリンク１１８は、リバースリンク１２０により使用されるものとは異なる周波数帯域を利用でき、フォワードリンク１２４は、リバースリンク１２６により用いられるものとは異なる周波数帯域を用いることができる。さらに、時分割複信（ＴＤＤ）システムにおいて、フォワードリンク１１８およびリバースリンク１２０は、共通の周波数帯域を利用でき、フォワードリンク１２４およびリバースリンク１２６は、共通の周波数帯域を利用できる。
【００２６】
通信するために指定されている、アンテナの各グループ、および／またはエリアは、基地局１０２のセクタと呼ばれることがある。例えば、アンテナのグループは、基地局１０２によってカバーされるエリアのセクタにおける移動デバイスに伝達するように設計できる。フォワードリンク１１８および１２４に対する通信において、基地局１０２の送信アンテナはビームフォーミングを利用して、移動デバイス１１６および１２２に対するフォワードリンク１１８および１２４の信号対雑音比を向上させることができる。さらに、基地局１０２がビームフォーミングを利用して、関連したカバレッジを通してランダムに分散されている移動デバイス１１６および１２２に送信する間に、近隣セルにおける移動デバイスは、単一のアンテナによってすべての移動デバイスに送信する基地局と比較して、より少ない干渉を受け得る。
【００２７】
基地局１０２（および／または基地局１０２の各セクタ）は、１つ以上の多元接続技術（例えば、ＣＤＭＡ、ＴＤＭＡ、ＦＤＭＡ、ＯＦＤＭＡ、．．．）を用いることができる。例えば、基地局１０２は、対応する帯域幅上で移動デバイス（例えば、移動デバイス１１６および１２２）と通信する特定の技術を利用できる。さらに、１つよりも多い技術が、基地局１０２により用いられる場合、各技術を、それぞれの帯域幅に関連させることができる。ここで記述する技術は、次のものを含むことができる：移動体通信用グローバルシステム（ＧＳＭ）、汎用パケット無線サービス（ＧＰＲＳ）、ＧＳＭ進化型拡張データレート（ＥＤＧＥ）、ユニバーサル移動体電気通信システム（ＵＭＴＳ）、広帯域コード分割多元接続（Ｗ−ＣＤＭＡ）、ｃｄｍａＯｎｅ（ＩＳ−９５）、ＣＤＭＡ２０００、最適化エボリューションデータ（ＥＶ−ＤＯ）、ウルトラモバイルブロードバンド（ＵＭＢ）、マイクロ波アクセスのための世界相互運用（ＷｉＭＡＸ）、メディアＦＬＯ、デジタルマルチメディアブロードキャスティング（ＤＭＢ）、デジタルビデオブロードキャスティング―ハンドヘルド（ＤＶＢ−Ｈ）など。上述の技術のリストは、例として提供され、請求される主題事項は、それに限定されず、むしろ、実質的に任意のワイヤレス通信技術が、この文書に添付の特許請求の範囲に入るように向けられていることを理解すべきである。
【００２８】
基地局１０２は、第１の技術により、第１の帯域幅を用いることができる。さらに、基地局１０２は、第２の帯域幅上で第１の技術に対応するパイロットを送信できる。１つの実例にしたがうと、何らかの第２の技術を利用する通信に対して、基地局１０２および／または（示していない）何らかの異なる基地局により、第２の帯域幅を活用できる。さらに、パイロットは、（例えば、第２の技術を通して通信する移動デバイスに）第１の技術の存在を示すことができる。例えば、パイロットは、ビットを使用して、第１の技術の存在に関する情報を搬送できる。さらに、第１の技術を利用するセクタのセクタＩＤや、第１の周波数の帯域幅を示す搬送波インデックスや、これらに類似するもののような情報を、パイロットに含めることができる。
【００２９】
別の例にしたがうと、パイロットは、ビーコン（および／またはビーコンのシーケンス）とすることができる。ビーコンは、電力の大部分が、１つの副搬送波またはいくつかの副搬送波（例えば、少ない数の副搬送波）上で送信されるＯＦＤＭシンボルとすることができる。したがって、ビーコンは、移動デバイスにより観測できる強いピークを提供し、一方、帯域幅の狭い部分上のデータと干渉する（例えば、帯域幅の残りは、ビーコンにより影響を受けない可能性がある）。この例にしたがって、第１のセクタは、第１の帯域幅上でＣＤＭＡにより通信でき、第２のセクタは、第２の帯域幅上でＯＦＤＭにより通信できる。したがって、第１のセクタは、第２の帯域幅上でＯＦＤＭビーコン（またはＯＦＤＭビーコンのシーケンス）を送信することにより、（例えば、第２の帯域幅上でＯＦＤＭを利用して動作している移動デバイスに対して）第１の帯域幅上でのＣＤＭＡの利用可能性を示すことができる。
【００３０】
主題のイノベーションは、一般に、ホームノード基地局（ホームノードＢ、ＨＮＢなど）を含む配備において、効率的なセルの選択および再選択を可能にすることができる。請求される主題事項は、旧来のユーザ機器（ＵＥ）および／またはユーザ機器（ＵＥ）が、既存のノードＢに加えてホームノードＢを活用する能力を取り入れる技術を提供できる。したがって、効率的なホームノードＢのサーチ、選択、および再選択を実現するために、セルの選択および再選択に対しいて修正が提供される。さらに、そのような修正を取り入れることにより、主題のイノベーションは、ＵＥ（例えば、旧来のＵＥなど）およびホームノードＢに加入していないＵＥの待機時間に対する影響を緩和できる。
【００３１】
請求される主題事項は、セルのサーチ、選択、および／または再選択を最適化するために、次の修正のうちの少なくとも１つを用いることができる：ホームノードＢに対する手動のサーチ；ＵＥに対するシステム情報ブロック（ＳＩＢ）の構成、（ノードＢを含む）マクロネットワークに関するＳＩＢおよびホームノードＢに関するＳＩＢは、ＵＥに対する発見を容易にできる；ノードＢよりもホームノードＢの優先順位付けのための階層型セル構造；ホームノードＢおよびノードＢに対する別々の公衆陸上移動ネットワーク識別（ＰＬＭＮ ＩＤ）、ＰＬＭＮ ＩＤを利用して、（ノードＢを含む）マクロネットワークよりもホームノードＢを優先させることができる；ホームノードＢおよびノードＢに対する位置領域コード（ＬＡＣ）の割当て、ＬＡＣ割当ては、ホームノードＢをノードＢと区別できる；ＵＥが以前に接続していたホームノードＢへの効率的な接続のために、そのようなホームノードＢを活用する、ＵＥベースの学習；または、ホームノードＢをノードＢと区別するために利用できるスクランブリングコードのブロードキャスト。
【００３２】
図２に目を向けると、ワイヤレス通信環境内で使用するための通信装置２００が図示されている。通信装置２００は、基地局またはその一部、ユーザ機器（ＵＥ）またはその一部、移動デバイスまたはその一部、あるいは、ワイヤレス通信環境中で送信されたデータを受信する、実質的に任意の通信装置とすることができる。通信システムにおいて、通信装置２００は、以下で記述するコンポーネントを用いて通信装置２００を構成して、１００ｍｓよりも短い、低減された測定期間の間にＵＰＨ測定値を報告する。
【００３３】
通信装置２００は、データの一部を受け取ることができる受信機モジュール２０２を含むことができ、データの一部は、ホームノードＢに対するシステム情報ブロック（ＳＩＢ）のタイプと、ノードＢに対するＳＩＢと、ホームノードＢに対する公衆陸上移動ネットワーク識別（ＰＬＭＮ ＩＤ）と、ノードＢに対するＰＬＭＮ ＩＤと、ホームノードＢに対する位置領域コード（ＬＡＣ）と、ノードＢに対するＬＡＣとのうちの少なくとも１つである。さらに、受信機モジュール２０２は、少なくとも１つのノードＢからの通信を受信でき、通信は、そのようなホームノードＢの検出を可能にすることができる。
【００３４】
通信装置２００は、選択モジュール２０４をさらに含むことができ、選択モジュール２０４は、マクロネットワークおよび／またはノードＢに対して、識別されたホームノードＢを伝達でき、マクロネットワークおよび／またはノードＢは、検出されたホームノードＢを、異なるユーザ機器（ＵＥ）に伝達できる。選択モジュールは、受け取ったデータの一部に基づいて、接続のためのホームノードＢと、接続のためのノードＢとのうちの少なくとも１つをさらに識別できる。
【００３５】
さらに、示していないが、通信装置２００はメモリを含むことができ、メモリは、階層構造を利用して、少なくとも１つのノード基地局（ノードＢ）と、少なくとも１つのホームノード基地局（ホームノードＢ）とを組織し、階層構造は、ノードＢよりもホームノードＢを優先させることと、ノードＢおよびホームノードＢのうちの少なくとも１つから、システム情報ブロック（ＳＩＢ）に関連したデータの一部を受信し、ＳＩＢは、ユーザ機器（ＵＥ）がホームノードＢを発見することを可能にするように構成されていることと、ホームノードＢに関連した検出通知をマクロネットワークに伝達することと、階層構造と、ＳＩＢに関連したデータの一部とのうちの少なくとも１つを用いて、ホームノードＢまたはノードＢからＵＥが選択することを可能にすることと、これらに類似することとに関する命令を保持することを理解すべきである。さらに、メモリは、ＵＥによる手動のサーチを利用して、ホームノードＢを発見することと、モビリティファクターおよびペナルティタイマーにより、ホームノードＢに対するサーチおよびホームノードＢの選択を制御することと、ホームノードＢに対する第１の公衆陸上移動ネットワーク識別（ＰＬＭＮ ＩＤ）の割振りと、ノードＢを含むマクロネットワークに対する第２の公衆陸上移動ネットワーク識別（ＰＬＭＮ ＩＤ）の割振りとを受信し、第１のＰＬＭＮ ＩＤの割振りは、第２のＰＬＭＮ ＩＤの割振りに対して優先されることと、第１のＰＬＭＮ ＩＤの割振りと、第２のＰＬＭＮ ＩＤの割振りとを利用して、ホームノードＢまたはノードＢから選択することと、２以上の同等のＰＬＭＮ ＩＤをダイナミックに更新して、ＵＥがホームノードＢをサーチすることを可能にすることと、位置領域コード（ＬＡＣ）の割当てを受信し、ＬＡＣの割当ては、許可されているホームノードＢを、許可されていないホームノードＢと区別するために用いられることと、選択されたホームノードＢに関係するＰＬＭＮ ＩＤを受信し、ＵＥが選択されたホームノードＢとの接続を確立していたことと、選択されたホームノードＢに関連するＰＬＭＮ ＩＤを追跡することと、追跡されたＰＬＭＮ ＩＤを利用して、第１のホームノードＢおよび第２のホームノードＢから選択することと、追跡されたＰＬＭＮ ＩＤに基づいて、第１のホームノードＢおよび第２のホームノードＢのうちの少なくとも１つに接続することと、ホームノードＢに関係するスクランブリングコードを受信することと、ノードＢに関係するスクランブリングコードを受信することと、受信したスクランブリングコードを評価して、新しいＳＩＢまたは既存のＳＩＢを識別することと、評価を利用してノードＢをサーチすることと、評価を利用してホームノードＢに対するサーチを防ぐことと、これらに類似することとに関する命令を保持できる。
【００３６】
さらに、通信装置２００は、ユーザ機器（ＵＥ）から、ホームノード基地局（ホームノードＢ）に関係する検出通知を受信し、検出通知は、接続のためのホームノードＢを識別することと、ノードＢよりもホームノードＢに、ＵＥに対する接続を優先させる階層構造内に、少なくとも１つのノード基地局（ノードＢ）と、少なくとも１つのホームノードＢとを組織することと、階層構造のうちの１つに基づいて、ＵＥと、ホームノードＢおよびノードＢのうちの少なくとも１つとの間に接続を確立することと、これらに類似することとに関する命令を保持するメモリを含むことができることを理解すべきである。さらに、メモリは、ホームノードＢのシステム情報ブロック（ＳＩＢ）に関連したデータの一部と、ノードＢのＳＩＢに関連したデータの一部とを送信することと、データの一部に基づいて、ＵＥと、ホームノードＢおよびノードＢのうちの少なくとも１つとの間に接続を確立することと、ホームノードＢに関連した公衆陸上移動ネットワーク識別（ＰＬＭＮ ＩＤ）と、ノードＢに関連したＰＬＭＮ ＩＤとを伝達することと、ホームノードＢに関連したＰＬＭＮ ＩＤと、ノードＢに関連したＰＬＭＮ ＩＤとのうちの１つに基づいて、ＵＥと、ホームノードＢおよびノードＢのうちの少なくとも１つとの間に接続を確立することと、ホームノードＢに対する位置領域コード（ＬＡＣ）の割当てと、ノードＢに対するＬＡＣの割当てとを伝達することと、ホームノードＢに対するＬＡＣの割当てと、ノードＢに対するＬＡＣの割当てとのうちの１つに基づいて、ＵＥと、ホームノードＢおよびノードＢのうちの少なくとも１つとの間に接続を確立することと、これらに類似することとに関する命令を保持できる。さらに、通信装置２００は、命令（例えば、メモリ内に保持されている命令、異なる情報源から取得される命令、．．．）を実行することに関して利用してもよいプロセッサを含むことができる。
【００３７】
これから、図３を参照すると、ホームノード基地局およびノード基地局に関連したセル選択を容易にするワイヤレス通信システム３００が図示されている。システム３００は、ユーザ機器（ＵＥ）３０４と通信する基地局３０２（および／または（示していない）任意の数の異なる通信装置）を含む。基地局３０２は、フォワードリンクチャネルを通してＵＥ３０４に情報を送信でき；さらに、基地局３０２は、リバースリンクチャネルを通してＵＥ３０４から情報を受信できる。さらに、システム３００は、ＭＩＭＯシステムとすることができる。さらに、システム３００は、ＯＦＤＭＡワイヤレスネットワーク、３ＧＰＰ ＬＴＥワイヤレスネットワークなどにおいて動作できる。また、１つの例において、基地局３０２中で示し、以下で記述するコンポーネントおよび機能は、同様にＵＥ３０４中に存在することができ、逆も成り立つ。描写した構成は、説明を容易にするために、これららのコンポーネントを除外している。
【００３８】
ＵＥ３０４は、受信機モジュール３０６を含むことができ、受信機モジュール３０６は、ホームノードＢと、ノードＢと、ノードＢを含むマクロネットワークとのうちの少なくとも１つに関連したデータの一部を受信できる。データの一部は、限定ではないが、ホームノードＢに対するＳＩＢ、ノードＢに対するＳＩＢ、ホームノードＢに対するＰＬＭＮ ＩＤ、ノードＢに対するＰＬＭＮ ＩＤ、ホームノードＢに対するＬＡＣ、または、ノードＢに対するＬＡＣとすることができる。受信機モジュール３０６は、検出されたホームノードＢに関連した情報をさらに受信できる。
【００３９】
ＵＥ３０４は、選択モジュール３０８をさらに含むことができ、選択モジュール３０８は、ＵＥ３０４に対するセル（例えば、ノードＢ、ホームノードＢなど）の選択を可能にすることができる。一般に、ＵＥ３０４は、接続のための、ホームノードＢと、ノードＢとのうちの少なくとも１つを識別するために、受信したデータの一部を活用できる。一般に、受信したデータの一部は、ホームノードＢのパラメータおよびマクロノードＢのパラメータを提供でき、ホームノードＢのパラメータを優先させることができる。
【００４０】
ＵＥ３０４は、サーチモジュール３１０をさらに含むことができ、サーチモジュール３１０は、ホームノードＢを検出するために手動のサーチを可能にすることができる。例えば、手動のサーチは、ユーザのリクエストにより開始でき、サーチモジュール３１０は、予め規定されている近接または信号範囲内で、何らかの適切なホームノードＢを検出できる。
【００４１】
基地局３０２は、受信機モジュール３１２を含むことができ、受信機モジュール３１２は、検出されたホームノードＢを識別する、ＵＥ３０４からの通信を受信できる。言い換えれば、ＵＥはホームノードＢを検出でき、受信機モジュール３１２は、そのような検出されたホームノードＢに関連した情報（例えば、ホームノードＢのパラメータなど）を受信できる。
【００４２】
基地局３０２は、オーガナイザーモジュール３１４を含むことができ、オーガナイザーモジュール３１４は、ノードＢまたはマクロノードＢよりも検出されたホームノードＢを選ぶことができる接続の優先順位を、階層的に構築または構成できる。一般に、オーガナイザーモジュール３１４は、ホームノードＢのパラメータおよびマクロノードＢのパラメータをブロードキャストでき、ホームノードＢのパラメータは、マクロノードＢのパラメータに対して区別でき、優先できる。
【００４３】
さらに、基地局３０２は、送信機モジュール３１６を含むことができ、送信機モジュール３１６は、ホームノードＢのパラメータおよびマクロノードＢのパラメータをブロードキャストでき、近接または範囲内のホームノードＢを発見していないか、または知らない、異なるＵＥに対して、ホームノードＢのパラメータを伝達できる。送信機３１６は、ホームノードＢまたはマクロノードＢに対するパラメータに関連したデータの一部をブロードキャストまたは伝達できる。データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである。
【００４４】
一般に、主題のイノベーションは、ホームノードＢに関して、セルのサーチ、セルの選択、セルの再選択、の技術を修正できる。イノベーションは、旧来のＵＥと、何らかのホームノードＢに加入していないＵＥとの待機時間に対する影響を緩和できる。ＵＥが、予め規定されている近接または範囲内のホームノードＢを識別することを可能にするために、手動のサーチを実現できる。さらに、主題のイノベーションは、隣接セット構成を修正でき、ＵＥがマクロネットワーク（およびノードＢを含む）よりもホームノードＢを優先させることを可能にするために、マクロネットワークおよびホームノードＢに対してＳＩＢのタイプを設定できる。例えば、マクロノードＢおよびホームノードＢに対するＳＩＢ３およびＳＩＢ１１は、ＵＥがホームノードＢを発見するのを支援するように構成できる。いったん発見されると、ＵＥは、マクロセルよりもホームノードＢを優先させることができる。
【００４５】
さらに、請求される主題事項は、セルの階層を実現でき、セルの階層は、マクロノードＢよりもホームノードＢを優先させることができる。モビリティ基準およびペナルティタイマーの両方が、ホームノードＢのサーチおよびセルの再選択を制御できる。さらに、主題のイノベーションは、ＰＬＭＮ ＩＤを活用することにより、ノードＢまたはマクロノードＢよりもホームノードＢを優先させることができる。マクロネットワークと、ホームノードＢネットワークとに対する別々のＰＬＭＮ ＩＤの割振りは、マクロノードＢよりもホームノードＢを優先させることができる。さらに、ホームノードＢに対するサーチを調整するために、同等のＰＬＭＮ ＩＤをダイナミックに更新できる。さらに、ＵＥが、許可されているホームノードＢを許可されていないホームノードＢと区別することを可能にするために、ＬＡＣの割振りを活用できる。
【００４６】
主題のイノベーションは、ＵＥベースの学習をさらに提供でき、ＵＥは、最近利用されたＰＬＭＮに対するサーチを優先させて、システム選択に対する待ち時間および電流の排流を低減させることができる。ＵＥは、それが接続していた（例えば、最近使用された）ホームノードＢのリストを記憶し、記録し、維持することができ、または、そのような１組のホームノードＢを覚えていることができる。さらに、最初の発見後に、ＵＥは、そのような１組のホームノードＢを活用して、後の時間における効率的なホームノードＢの発見のために、関連情報を維持または記録できる。さらに、主題のイノベーションは、何らかのホームノードＢに関して許可されていないＵＥに対する影響を緩和できる。ホームノードＢに割り振られているスクランブリングコードを利用して、隣接リスト中のマクロノードＢに割り当てられているスクランブリングコードを区別し、新しいＳＩＢまたは既存のＳＩＢをブロードキャストできる。ＵＥが、許可されているホームノードＢを許可されていないホームノードＢと区別することを可能にするために、ＬＡＣの割振りをさらに利用できる。同様に、階層型セルのアプローチに対して、明確な高い優先順位をホームノードＢに対して確保できる。そのような区別により、ホームノードＢの発見をＵＥが実現すること防ぐことができ、ＵＥは、ホームノードＢをサーチしなくてもよい。
【００４７】
ＵＴＲＡに対する旧来のホームノードＢ（ＨＮＢ）のサポートに関する研究は、ＵＴＲＡ ＨＮＢの配備に対する、旧来のＵＥモビリティに対する現在利用可能なメカニズムが、最適ではないようであり、したがって、ＨＮＢまたはフェムトセルの存在下で、セルの再選択の効率的なサポートに対する修正を必要とするかもしれないと結論を下している。したがって、ＨＮＢの存在下で、可能性のあるＨＮＢ配備のシナリオ間の相互作用を識別し、セルの選択／再選択に必要な改良を提供することは有利となるであろう。
【００４８】
さまざまな配備の実施形態が存在し得る。ＨＮＢの配備の実施形態は、例えば、アソシエーションモデル（閉じている／開いている加入者グループ）や、ＨＮＢスペクトルおよびマクロネットワークスペクトル間の関係や、ネットワークアーキテクチャなどのような、多くのカテゴリーにより区別してもよい。ＨＮＢセル再選択の観点から、次の２つのカテゴリーを関係付けることができる。アソシエーションモデル：サポートされるアソシエーションモデルは、オープンアソシエーション（例えば、オープンアクセス）と、クローズドサブスクライバグループ（ＣＳＧ例えば、制限されたアソシエーション）とを含む。オープンアソシエーションは、任意の加入者が任意のＨＮＢにキャンプし、そのＨＮＢにキャンプしている間、任意のＣＳおよびＰＳサービスにアクセスすることを可能にする。ＣＳＧは、許可されているＨＮＢだけにキャンプするように加入者を制限する。したがって、加入者は、許可されていないＨＮＢにキャンプすることができず、何らかの許可されていないＨＮＢを使用して、ＣＳおよびＰＳサービスにアクセスできない。ＨＮＢスペクトルと、マクロネットワークスペクトルとの間の関係：ＨＮＢは、１つ以上の搬送波で展開されてもよい。さらに、ＨＮＢの配備は、マクロネットワークと１つ以上の搬送波を共有してもよく、または、マクロネットワークの搬送波とは別の、それ自身の専用の搬送波を有してもよい。
【００４９】
そのカテゴリー分類により、ＨＮＢの配備の実施形態は、次のものとすることができる：１）オープンアソシエーション−マクロセルおよびＨＮＢ間の共有搬送波；２）オープンアソシエーション−ＨＮＢに対する専用の搬送波；３）ＣＳＧ−マクロセルおよびＨＮＢ間の共有搬送波；４）ＣＳＧ−ＨＮＢに対する専用の搬送波。
【００５０】
主題のイノベーションは、上述の配備の実施形態に適用可能な、ＨＮＢセル選択／再選択の解決を開発できる。例えば、ＨＮＢは、オペレータに対して、いくつかのモチベーションを提供し、これらのモチベーションは、ＨＮＢセルの選択／再選択に関する必要条件を規定できる。一例として、オペレータは、ＨＮＢの配備を考慮して、マクロネットワークカバレッジを補うことにより、全体のカバレッジを向上させてもよい。そのようなシナリオにおいて、加入者は、ＨＮＢまたはマクロネットワークのいずれかにより提供できる、利用可能な最良のカバレッジを選ぶ。したがって、オペレータは、マクロネットワークの選択よりもＨＮＢの選択を優先させる必要条件を認識しなくてもよい。代わりに、オペレータは、ＨＮＢにより提供されるサービスを区別することにより、特別の課金プランを導入してもよい。そのようなシナリオにおいて、加入者は、マクロネットワークの選択よりもＨＮＢの選択を優先させるであろう。マクロネットワークからＨＮＢにトラフィックをオフロードする機会はまた、そのような優先順位付けの動機となり得る。主題のイノベーションは、十分な質のＨＮＢカバレッジが利用可能であるときに、マクロネットワークよりもＨＮＢの優先順位付けをさらにサポートできる。
【００５１】
ＨＮＢサーチの方を向いているさまざまな代替のアプローチが、以下でさらに要約される：１）手動のサーチ：加入者は常に、手動のサーチに依拠して、近くのＨＮＢを発見してもよい。２）隣接セット構成：マクロＮＢおよびＨＮＢに関するＳＩＢ３およびＳＩＢ１１の両方が、ＵＥがＨＮＢを発見するのを支援するように設定される。発見すると、ＵＥは、マクロセルよりもＨＮＢを優先させてもよい。３）階層型セル：階層型セルは、マクロＮＢよりもＨＮＢを優先させる支援をする。モビリティ基準およびペナルティタイマーの両方が、ＨＮＢサーチおよびセルの再選択を制御できる。４）ＰＬＭＮ ＩＤの割振り：マクロネットワークとＨＮＢネットワークとに対する、別々のＰＬＭＮ ＩＤの割振りは、マクロネットワークよりもＨＮＢを優先させることを支援できる。さらに、ＨＮＢに対するサーチを調整するために、同等のＰＬＭＮをダイナミックに更新できる。５）位置領域コード（ＬＡＣ）の割振り。ＬＡＣの割当てを使用して、ＵＥが、許可されているＨＮＢを近くの許可されていないＨＮＢと区別することを可能にしてもよい。６）ＵＥベースの学習：現在のＵＥは、最近使用されたＰＬＭＮに対するサーチを優先させて、システム選択に対する待ち時間および電流の排流を低減させる。ＨＮＢの導入では、ＵＥが、それが最近使用した１組のＨＮＢを覚えているように、この手続きを拡張できる。さらに、最初の発見の後に、ＵＥは、後の効率的なＨＮＢの発見のために、関連情報を覚えていることができる。
【００５２】
以下の表１において、先に論じた配備の実施形態と優先順位付けの必要条件とに対する先のアプローチの整合がさらに要約される。
【表１】
0005579816.tif 000002
【００５３】
上記の表中で示したように、隣接セット構成および階層型セルのアプローチは、これらの特徴をサポートするマクロＮＢのカバレッジ中のすべてのＵＥに影響を及ぼす。マクロカバレッジにある間、ＵＥは次に、ＨＮＢをアクティブにサーチする。ＣＳＧの配備に対して、許可されていないＨＮＢの頻繁な発見は、待機時間において、頻繁な登録の試行と効率低下とを結果として生じ得る。何らかのＨＮＢに対して許可されていないＵＥに対するこの影響を緩和するために、ＨＮＢに割り振られているスクランブリングコードは、隣接リスト中のマクロＮＢに割り当てられているスクランブリングコードと区別でき、新しいＳＩＢまたは既存のＳＩＢの拡張としてブロードキャストできる。ＬＡＣの割振りを使用して、ＵＥが、許可されているＨＮＢを近くの許可されていないＨＮＢと区別することを可能にすることができる。同様に、階層型セルのアプローチに対して、ＨＮＢに対する明確な高い優先順位を確保できる。その区別により、ＨＮＢの発見に関心がないＵＥは、ＨＮＢをサーチしないであろう。
【００５４】
ＣＧＳの配備をサポートするために、ＨＮＢのパラメータを、マクロネットワーク中でブロードキャストされる、マクロＮＢのパラメータと区別することにより、主題のイノベーションは、ＨＮＢの加入を有さないＵＥ（マクロＵＥ）に対する影響を緩和できる。さらに、隣接セット構成と、階層型セルと、ＰＬＭＮ ＩＤの割振りとのアプローチは、オープンアソシエーションの配備に十分適合する。ＣＳＧの配備に対して、これらのアプローチは、ＵＥベースの学習に依拠することにより、補完され得る。ローカルに記憶されている情報（ローカルデータベース）を活用することにより、ＵＥは、許可されていないＨＮＢに対する実りのない登録試行を回避でき、許可されているＨＮＢを効率的にサーチできる。さらに、ＵＥベースの学習を実現することにより、主題のイノベーションは、ＨＮＢの発見を向上させることができる。
【００５５】
主題のイノベーションは、上述の配備シナリオに対して、ホームノードＢの選択および再選択に利用できる。さらに、十分な質のホームノードＢのカバレッジが利用可能であるとき、ホームノードＢは、マクロネットワークまたはノードＢよりもホームノードＢを優先させることができる。さらに、ＣＳＧの配備をサポートし、ホームノードＢの加入を有さないＵＥに対する影響を緩和するために、ホームノードＢのパラメータと、マクロノードＢのパラメータとの間の区別を、マクロネットワーク中でブロードキャストできる。
【００５６】
さらに、示していないが、基地局３０２はメモリを含むことができ、メモリは、階層構造を利用して、少なくとも１つのノード基地局（ノードＢ）と、少なくとも１つのホームノード基地局（ホームノードＢ）とを組織し、階層構造は、ノードＢよりもホームノードＢを優先させることと、ノードＢおよびホームノードＢのうちの少なくとも１つから、システム情報ブロック（ＳＩＢ）に関連したデータの一部を受信し、ＳＩＢは、ユーザ機器（ＵＥ）がホームノードＢを発見することを可能にするように構成されていることと、ホームノードＢに関連した検出通知をマクロネットワークに伝達することと、階層構造と、ＳＩＢに関連したデータの一部とのうちの少なくとも１つを用いて、ＵＥがホームノードＢまたはノードＢから選択することを可能にすることと、これらに類似することとに関する命令を保持することを理解すべきである。さらに、メモリは、ＵＥによる手動のサーチを利用してホームノードＢを発見することと、モビリティファクターおよびペナルティタイマーにより、ホームノードＢに対するサーチおよびホームノードＢの選択を制御することと、ホームノードＢに対する第１の公衆陸上移動ネットワーク識別（ＰＬＭＮ ＩＤ）の割振りと、ノードＢを含むマクロネットワークに対する第２の公衆陸上移動ネットワーク識別（ＰＬＭＮ ＩＤ）の割振りとを受信し、第１のＰＬＭＮ ＩＤの割振りは、第２のＰＬＭＮ ＩＤの割振りよりも優先されることと、第１のＰＬＭＮ ＩＤの割振りと第２のＰＬＭＮ ＩＤの割振りとを利用して、ホームノードＢまたはノードＢから選択することと、２以上の同等のＰＬＭＮ ＩＤをダイナミックに更新して、ＵＥがホームノードＢをサーチするのを可能にすることと、位置領域コード（ＬＡＣ）の割当てを受信し、ＬＡＣの割当ては、許可されているホームノードＢを許可されていないホームノードＢと区別するために用いられることと、選択されたホームノードＢに対するＰＬＭＮ ＩＤを受信し、ＵＥは、選択されたホームノードＢとの接続を確立していたことと、選択されたホームノードＢに関係するＰＬＭＮ ＩＤを追跡することと、追跡されたＰＬＭＮ ＩＤを利用して、第１のホームノードＢおよび第２のホームノードＢから選択することと、追跡されたＰＬＭＮ ＩＤに基づいて、第１のホームノードＢおよび第２のホームノードＢのうちの少なくとも１つに接続することと、ホームノードＢに関係するスクランブリングコードを受信することと、ノードＢに関係するスクランブリングコードを受信することと、受信したスクランブリングコードを評価して、新しいＳＩＢまたは既存のＳＩＢを識別することと、評価を利用してノードＢをサーチすることと、評価を利用してホームノードＢに対するサーチを防ぐことと、これらに類似することとに関する命令を保持できる。
【００５７】
さらに、基地局３０２は、ユーザ機器（ＵＥ）から、ホームノード基地局（ホームノードＢ）に関係する検出通知を受信し、検出通知は、接続のためのホームノードＢを識別することと、ノードＢよりもホームノードＢに、ＵＥに対する接続を優先させる階層構造内に、少なくとも１つのノード基地局（ノードＢ）と、少なくとも１つのホームノードＢとを組織することと、階層構造のうちの１つに基づいて、ＵＥと、ホームノードＢおよびノードＢのうちの少なくとも１つとの間に接続を確立することと、これらに類似することとに関する命令を保持するメモリを含むことができることを理解すべきである。さらに、メモリは、ホームノードＢのシステム情報ブロック（ＳＩＢ）に関連したデータの一部と、ノードＢのＳＩＢに関連したデータの一部とを送信することと、データの一部に基づいて、ＵＥと、ホームノードＢおよびノードＢのうちの少なくとも１つとの間に接続を確立することと、ホームノードＢに関連した公衆陸上移動ネットワーク識別（ＰＬＭＮ ＩＤ）と、ノードＢに関連したＰＬＭＮ ＩＤとを伝達することと、ホームノードＢに関連したＰＬＭＮ ＩＤと、ノードＢに関連したＰＬＭＮ ＩＤとのうちの１つに基づいて、ＵＥと、ホームノードＢおよびノードＢのうちの少なくとも１つとの間に接続を確立することと、ホームノードＢに対する位置領域コード（ＬＡＣ）の割当てと、ノードＢに対するＬＡＣの割当てとを伝達することと、ホームノードＢに対するＬＡＣの割当てと、ノードＢに対するＬＡＣの割当てとのうちの１つに基づいて、ＵＥと、ホームノードＢおよびノードＢのうちの少なくとも１つとの間に接続を確立することと、これらに類似することとに関する命令を保持できる。さらに、基地局３０２は、命令（例えば、メモリ内に保持されている命令、異なる情報源から取得される命令、．．．）を実行することに関して利用してもよいプロセッサを含むことができる。
【００５８】
図４ないし５を参照すると、フラッシュタイマーを設定することに関する方法が説明されている。説明を簡単にするために、一連の動作として、方法を示し、説明しているが、１つ以上の実施形態にしたがって、いくつかの動作は、異なる順序で発生してもよく、および／または、ここで示し記述した動作以外の動作と同時に発生してもよいことから、方法は動作の順序によって限定されないことを理解および認識すべきである。例えば、状態図におけるように、一連の相互に関係付けられた状態またはイベントとして、方法を代わりに表すことができることを、当業者は理解および認識するだろう。さらに、１つ以上の実施形態にしたがって方法を実現するために、説明されているすべての動作を要求しなくてもよい。
【００５９】
図４に目を向けると、ホームノード基地局がノード基地局よりも優先されるユーザ機器（ＵＥ）のための効率的な選択を容易にする方法４００が図示されている。参照数字４０２において、階層構造を利用して、少なくとも１つのノード基地局（ノードＢ）と、少なくとも１つのホームノード基地局（ホームノードＢ）とを組織でき、階層構造は、ノードＢよりもホームノードＢを優先させる。参照数字４０４において、システム情報ブロック（ＳＩＢ）に関連したデータの一部を、ノードＢおよびホームノードＢのうちの少なくとも１つから受信でき、ＳＩＢは、ユーザ機器（ＵＥ）がホームノードＢを発見するのを可能にするように構成されている。参照数字４０６において、ホームノードＢに関連した検出通知をマクロネットワークに伝達できる。参照数字４０８において、階層構造と、ＳＩＢに関連したデータの一部とのうちの少なくとも１つを用いて、ホームノードＢまたはノードＢからＵＥが選択するのを可能にできる。
【００６０】
さらに、方法４００は、ＵＥによる手動のサーチを利用して、ホームノードＢを発見することと、モビリティファクターおよびペナルティタイマーにより、ホームノードＢのサーチおよびホームノードＢの選択を制御することと、ホームノードＢに対する第１の公衆陸上移動ネットワーク識別（ＰＬＭＮ ＩＤ）の割振りと、ノードＢを含むマクロネットワークに対する第２の公衆陸上移動ネットワーク識別（ＰＬＭＮ ＩＤ）の割振りとを受信し、第１のＰＬＭＮ ＩＤの割振りは、第２のＰＬＭＮ ＩＤの割振りに対して優先されることと、第１のＰＬＭＮ ＩＤの割振りと、第２のＰＬＭＮ ＩＤの割振りとを利用して、ホームノードＢまたはノードＢから選択することと、２以上の同等のＰＬＭＮ ＩＤをダイナミックに更新して、ＵＥがホームノードＢをサーチするのを可能にすることと、位置領域コード（ＬＡＣ）の割当てを受信し、ＬＡＣの割当ては、許可されているホームノードＢを、許可されていないホームノードＢと区別するために用いられることと、選択されたホームノードＢに対するＰＬＭＮ ＩＤを受信し、ＵＥが、選択されたホームノードＢとの接続を確立していたことと、選択されたホームノードＢに関係するＰＬＭＮ ＩＤを追跡することと、追跡されたＰＬＭＮ ＩＤを利用して、第１のホームノードＢおよび第２のホームノードＢから選択することと、追跡されたＰＬＭＮ ＩＤに基づいて、第１のホームノードＢおよび第２のホームノードＢのうちの少なくとも１つに接続することと、ホームノードＢに関係するスクランブリングコードを受信することと、ノードＢに関係するスクランブリングコードを受信することと、受信したスクランブリングコードを評価して、新しいＳＩＢまたは既存のＳＩＢを識別することと、評価を利用してノードＢをサーチすることと、評価を利用してホームノードＢに対するサーチを防ぐことと、これらに類似することとを含むことができる。
【００６１】
これから図５を参照すると、方法５００は、接続のためのホームノード基地局の検出を伝達することを容易にする。参照数字５０２において、ホームノード基地局（ホームノードＢ）に関係する検出通知を、ユーザ機器（ＵＥ）から受信でき、検出通知は、接続のためのホームノードＢを識別する。参照数字５０４において、ノード基地局（ノードＢ）よりもホームノードＢに、ＵＥに対する接続を優先させる階層構造内に、少なくとも１つのノードＢと、少なくとも１つのホームノードＢとを組織できる。参照数字５０６において、階層構造のうちの１つに基づいて、ＵＥと、ホームノードＢおよびノードＢのうちの少なくとも１つとの間に接続を確立できる。
【００６２】
さらに、方法５００は、ホームノードＢのシステム情報ブロック（ＳＩＢ）に関連したデータの一部と、ノードＢのＳＩＢに関連したデータの一部とを送信することと、データの一部に基づいて、ＵＥと、ホームノードＢおよびノードＢのうちの少なくとも１つとの間に接続を確立することと、ホームノードＢに関連した公衆陸上移動ネットワーク識別（ＰＬＭＮ ＩＤ）と、ノードＢに関連したＰＬＭＮ ＩＤとを伝達することと、ホームノードＢに関連したＰＬＭＮ ＩＤと、ノードＢに関連したＰＬＭＮ ＩＤとのうちの１つに基づいて、ＵＥと、ホームノードＢおよびノードＢのうちの少なくとも１つとの間に接続を確立することと、ホームノードＢに対する位置領域コード（ＬＡＣ）の割当てと、ノードＢに対するＬＡＣの割当てとを伝達することと、ホームノードＢに対するＬＡＣの割当てと、ノードＢに対するＬＡＣの割当てとのうちの１つに基づいて、ＵＥと、ホームノードＢおよびノードＢのうちの少なくとも１つとの間に接続を確立することと、これらに類似することとを含むことができる。
【００６３】
図６は、ワイヤレス通信システムにおいて、ホームノード基地局の検出に関連した情報の伝達を容易にする移動デバイス６００の説明図である。移動デバイス６００は、受信機６０２を備え、受信機６０２は、例えば、（示していない）受信アンテナから信号を受信し、受信した信号に典型的な動作を実行し（例えば、フィルタリングし、増幅し、ダウンコンバートする、など）、調整された信号をデジタル化して、サンプルを取得する。受信機６０２は、復調器６０４を含むことができ、復調器６０４は、受信したシンボルを復調して、それらを、チャネル推定のためにプロセッサ６０６に提供できる。プロセッサ６０６は、受信機６０２により受信した情報を分析すること、および／または、送信機６１６による送信のための情報を発生させることを専用とするプロセッサ、移動デバイス６００の１つ以上のコンポーネントを制御するプロセッサ、ならびに／あるいは、受信機６０２より受信した情報を分析し、送信機６１６による送信のための情報を発生させ、移動デバイス６００の1つ以上のコンポーネントを制御するプロセッサとすることができる。
【００６４】
移動デバイス６００は付加的に、メモリ６０８を備えることができ、メモリ６０８は、プロセッサ６０６に動作可能に結合され、送信すべきデータ、受信したデータ、利用可能なチャネルに関する情報、分析した信号および／または干渉強度に関係付けられたデータ、割り当てられたチャネルに関連した情報、電力、レート、あるいはこれらに類似するもの、チャネルを推定し、およびチャネルを通して伝達するための他の任意の適切な情報を記憶できる。（例えば、性能ベースで、容量ベースで、など）チャネルを推定すること、および／または利用することに関係付けられたプロトコルおよび／またはアルゴリズムをメモリ６０８は付加的に記憶できる。
【００６５】
ここで記述したデータ記憶装置（例えば、メモリ６０８）は、揮発性メモリまたは不揮発性メモリのいずれかとすることができ、あるいは、揮発性メモリおよび不揮発性メモリの両方を含むことができることが理解される。実例として、これに限定されないが、不揮発性メモリは、読み出し専用メモリ（ＲＯＭ）、プログラム可能ＲＯＭ（ＰＲＯＭ）、電気的にプログラム可能ＲＯＭ（ＥＰＲＯＭ）、電気的に消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。実例として、これに限定されないが、ＲＡＭは多くの形態で利用可能であり、例えば同期ＲＡＭ（ＳＲＡＭ）、ダイナミックＲＡＭ（ＤＲＡＭ）、同期ＤＲＡＭ（ＳＤＲＡＭ）、倍速データレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）がある。本主題のシステムおよび方法に関するメモリ６０８は、これらに限定されず、これらおよび他の任意の適当なタイプのメモリを備えるように意図されている。
【００６６】
プロセッサ６０６はさらに、受信機モジュール６１０と、選択モジュール６１２とのうちの少なくとも１つに動作可能に結合できる。受信機モジュール６１０は、データの一部を受け取ることができる（例えば、データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである）。選択モジュール６１２は、受け取ったデータの一部に基づいて、接続のためのホームノードＢと、接続のためのノードＢとのうちの少なくとも１つを識別できる。さらに、選択モジュール６１２は、識別されたホームノードＢを、マクロネットワークに伝達できる。
【００６７】
移動デバイス６００はさらに、変調器６１４および送信機６１６を備え、変調器６１４および送信機６１６は、それぞれ、信号を変調し、例えば、基地局、別の移動デバイスなどに信号を送信する。プロセッサ６０６から分離しているように描写しているが、受信機モジュール６１０、選択モジュール６１２、復調器６０４、および／または、変調器６１４は、プロセッサ６０６、または（示していない）多数のプロセッサの一部とすることができることを理解すべきである。
【００６８】
図７は、上述したワイヤレス通信環境において、ノード基地局よりもホームノード基地局の選択を容易にするシステム７００の説明図である。システム７００は、複数の受信アンテナ７０６を通して１つ以上の移動デバイス７０４から信号を受信する受信機７１０と、送信アンテナ７０８を通して１つ以上の移動デバイス７０４に送信する送信機７２４とを有する基地局７０２（例えば、アクセスポイント、．．．）を備えている。受信機７１０は、受信アンテナ７０６から情報を受信でき、受信した情報を復調する復調器７１２に動作可能に関係付けられている。復調したシンボルは、図６に関して上述したプロセッサと同様なものとすることができるプロセッサ７１４によって解析され、プロセッサ７１４は、メモリ７１６に結合されており、メモリ７１６は、信号（例えば、パイロット）強度および／または干渉強度を推定することに関連した情報、移動デバイス７０４（または（示していない）異なる基地局）に送信すべき、またはそこから受信すべきデータ、および／またはここで示したさまざまな動作および機能を実行することに関連した他の任意の適切な情報を記憶する。
【００６９】
さらに、プロセッサ７１４は、受信機モジュール７１８と、選択モジュール７２０とのうちの少なくとも１つに結合できる。受信機モジュール７１８は、データの一部を受信できる（例えば、データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、検出されたホームノードＢと、ノードＢに対するＬＡＣとのうちの少なくとも１つである）。選択モジュール７２０は、受け取ったデータの一部に基づいて、接続のためのホームノードＢと、接続のためのノードＢとのうちの少なくとも１つを識別できる。さらに、選択モジュール７２０は、識別されたホームノードＢをＵＥに伝達できる。
【００７０】
さらに、プロセッサ７１４から分離しているように描写しているが、受信機モジュール７１８、選択モジュール７２０、復調器７１２、および／または、変調器７２２は、プロセッサ７１４、または（示していない）多数のプロセッサの一部とすることができることを理解すべきである。
【００７１】
図８は、例示的なワイヤレス通信システム８００を示す。簡潔にするために、ワイヤレス通信システム８００は、１つの基地局８１０および１つの移動デバイス８５０を描写する。しかしながら、システム８００は１つより多い基地局および／または１つより多い移動デバイスを含むことができ、追加の基地局および／または移動デバイスは、以下で記述する例示的な基地局８１０および移動デバイス８５０と実質的に類似または相違したものとすることができることを理解すべきである。さらに、基地局８１０および／または移動デバイス８５０は、ここで記述した、システム（図１ないし図３、および図６ないし図７）、および／または方法（図４ないし図５）を用いて、それらの間でワイヤレス通信を容易にすることができることを理解すべきである。
【００７２】
基地局８１０において、多数のデータストリームに対するトラフィックデータが、データ源８１２から送信（ＴＸ）データプロセッサ８１４に提供される。１つの例にしたがうと、各データストリームは、それぞれのアンテナに対して送信できる。ＴＸデータプロセッサ８１４は、トラフィックデータストリームに対して選択された特定のコーディングスキームに基づいて、そのデータストリームをフォーマットし、コード化し、インターリーブして、コード化されたデータを提供する。
【００７３】
各データストリームに対してコード化されたデータは、直交周波数分割多重化（ＯＦＤＭ）技術を使用して、パイロットデータと多重化できる。付加的にまたは代わりに、パイロットシンボルは、周波数分割多重化（ＦＤＭ）、時分割多重化（ＴＤＭ）、またはコード分割多重化（ＣＤＭ）とすることができる。パイロットデータは一般に、既知の方法で処理される既知のデータパターンであり、チャネル応答を推定するために移動デバイス８５０において使用できる。各データストリームに対して多重化されたパイロットおよびコード化されたデータは、そのデータストリームに対して選択される特定の変調スキーム（例えば、バイナリ位相シフトキーイング（ＢＰＳＫ）、直角位相シフトキーイング（ＱＰＳＫ）、Ｍ位相シフトキーイング（Ｍ−ＰＳＫ）、Ｍ直角位相振幅変調（Ｍ−ＱＡＭ）など）に基づいて変調（例えば、シンボルマッピング）して、変調シンボルを提供できる。各データストリームに対するデータレート、コーディング、および変調は、プロセッサ８３０により実行されるまたは提供される命令によって決定できる。
【００７４】
データストリームに対する変調シンボルは、ＴＸ ＭＩＭＯプロセッサ８２０に提供でき、ＴＸ ＭＩＭＯプロセッサ８２０は、（例えば、ＯＦＤＭに対する）変調シンボルをさらに処理できる。ＴＸ ＭＩＭＯプロセッサ８２０は、次に、ＮT個の変調シンボルストリームをＮT個の送信機（ＴＭＴＲ）８２２ａないし８２２ｔに提供する。さまざまな実施形態において、ＴＸ ＭＩＭＯプロセッサ８２０は、データストリームのシンボルと、シンボルが送信されているアンテナとに対してビームフォーミングの重みを適用する。
【００７５】
各送信機８２２は、それぞれのシンボルストリームを受け取って、処理して、１つ以上のアナログ信号を提供し、さらにアナログ信号を調整して（例えば、増幅し、フィルタリングし、アップコンバートする）、ＭＩＭＯチャネルに対して送信に適切な変調信号を提供する。さらに、送信機８２２ａないし８２２ｔからのＮT個の変調信号は、それぞれＮT本のアンテナ８２４ａないし８２４ｔから送信される。
【００７６】
移動デバイス８５０において、送信された変調信号が、ＮR本のアンテナ８５２ａないし８５２ｒによって受信され、各アンテナ８５２からの受信信号は、それぞれの受信機（ＲＣＶＲ）８５４ａないし８５４ｒに提供される。各受信機８５４は、それぞれの信号を調整し（例えば、フィルタリングし、増幅し、ダウンコンバートする）、調整された信号をデジタル化してサンプルを提供し、さらにサンプルを処理して、対応する“受信”シンボルストリームを提供する。
【００７７】
ＲＸデータプロセッサ８６０は、ＮR個の受信機８５４からＮR個の受信シンボルストリームを受け取り、特定の受信機処理技術に基づいて処理して、ＮT個の“検出された”シンボルストリームを提供する。ＲＸデータプロセッサ８６０は、各検出されたシンボルストリームを復調し、デインターリーブし、デコードして、データストリームに対するトラヒックデータを回復できる。ＲＸデータプロセッサ８６０による処理は、基地局８１０におけるＴＸ ＭＩＭＯプロセッサ８２０およびＴＸデータプロセッサ８１４により実行される処理と相補関係にある。
【００７８】
プロセッサ８７０は、上述したようにどのプリコーディング行列を利用するかを定期的に決定できる。さらに、プロセッサ８７０は、行列インデックス部分とランク値部分とを備えるリバースリンクメッセージを構築できる。
【００７９】
リバースリンクメッセージは、通信リンクおよび／または受信データストリームに関するさまざまなタイプの情報を含むことができる。リバースリンクメッセージは、データ源８３６から多数のデータストリームに対するトラフィックデータも受信するＴＸデータプロセッサ８３８によって処理し、変調器８８０によって変調し、送信機８５４ａないし８５４ｒによって調整し、基地局８１０対して再度送信することができる。
【００８０】
基地局８１０において、移動デバイス８５０からの変調信号は、アンテナ８２４によって受信され、受信機８２２によって調整され、復調器８４０によって復調され、ＲＸデータプロセッサ８４２によって処理されて、移動デバイス８５０により送信されたリバースリンクメッセージが抽出される。さらに、プロセッサ８３０は、抽出されたメッセージを処理して、ビームフォーミングの重みを決定するためにどのプリコーディング行列を使用するかを決定できる。
【００８１】
プロセッサ８３０および８７０は、それぞれ、基地局８１０および移動デバイス８５０における動作を指示（例えば、制御する、調整する、管理するなど）できる。それぞれのプロセッサ８３０および８７０は、プログラムコードおよびデータを記憶するメモリ８３３２および８７２に関係付けることができる。プロセッサ８３０および８７０はまた、計算を実行して、それぞれアップリンクおよびダウンリンクに対する周波数およびインパルス応答推定を導出できる。
【００８２】
ここで記述した実施形態は、ハードウェア、ソフトウェア、ファームウェア、ミドルウェア、マイクロコード、またはこれらの任意の組み合わせにおいて実現できることを理解すべきである。ハードウェア実施のために、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、ここで記述した機能を実行するように設計された他の電子ユニット、またはこれらの組み合わせ内で、処理ユニットを実現できる。
【００８３】
実施形態が、ソフトウェア、ファームウェア、ミドルウェアまたはマイクロコード、プログラムコードまたはコードセグメントにおいて実現されるとき、それらは、記憶装置コンポーネントのような機械読み取り可能媒体中に記憶できる。コードセグメントは、手続き、関数、サブプログラム、プログラム、ルーチン、サブルーチン、モジュール、ソフトウェアパッケージ、クラス、または命令の任意の組み合わせ、データ構造、またはプログラムのステートメントを表すことができる。情報、データ、引き数、パラメータ、またはメモリのコンテンツをパスし、および／または受け取ることにより、コードセグメントは、別のコードセグメントまたはハードウェア回路に結合できる。メモリの共有を含む任意の適切な手段、メッセージ受渡し、トークンパッシング方式、ネットワーク送信などを使用して、情報、引き数、パラメータ、データなどをパスし、転送し、または送信することができる。
【００８４】
ソフトウェア実現のために、ここで記述した技術は、ここで記述した機能を実行するモジュール（例えば、手続き、関数など）により実現できる。ソフトウェアコードは、メモリユニット中に記憶し、プロセッサによって実行できる。メモリユニットは、プロセッサの内部またはプロセッサの外部で実現でき、いずれのケースにおいても、メモリユニットは、技術的に知られているさまざまな手段によりプロセッサに通信可能に結合できる。
【００８５】
図９を参照すると、ホームノード基地局がノード基地局よりも優先されるユーザ機器（ＵＥ）のための効率的な選択を容易にするシステム９００が説明されている。例えば、システム９００は、基地局、ユーザ機器（ＵＥ）、移動デバイスなどの内部に少なくとも部分的に存在できる。システム９００は、機能ブロックを含むように表されており、機能ブロックは、プロセッサ、ソフトウェア、または、これらの組み合わせ（例えば、ファームウェア）により実現される機能を表す機能ブロックとすることができる。システム９００は、一緒に動作できる電気コンポーネントの論理グループ９０２を含む。論理グループ９０２は、ホームノード基地局（ホームノードＢ）と、マクロネットワークに関係付けられているノード基地局（ノードＢ）とのうちの少なくとも１つに関連したデータの一部を受信する電気コンポーネント９０４を含むことができる。さらに、論理グループ９０２は、データの一部を評価して、ホームノードＢおよびノードＢ間の優先順位を識別する電気コンポーネント９０６を含むことができる。さらに、論理グループ９０２は、評価に基づいて、ノードＢよりも、ＵＥの接続のためにホームノードＢを選択する電気コンポーネント９０８を含むことができる。論理グループ９０２は、選択に基づいて、ホームノードＢと、ノードＢとのうちの少なくとも１つに対して、ＵＥを接続する電気コンポーネント９１０を含むことができる。さらに、システム９００は、メモリ９１２を含むことができ、メモリ９１２は、電気コンポーネント９０４、９０６、９０８および９１０に関係付けられている機能を実行するための命令を保持する。メモリ９１２に対して外部にあるように示しているが、電気コンポーネント９０４、９０６、９０８および９１０のうちの１つ以上は、メモリ９１２の内部に存在できることを理解すべきである。
【００８６】
図１０に目を向けると、Ｅ−ＤＣＨ送信のための、低減された測定期間において、ＵＥからＵＰＨ測定値をリクエストできるシステム１０００が説明されている。システム１０００は、例えば、基地局、ユーザ機器（ＵＥ）、移動デバイスなどの内部に存在できる。描写するように、システム１０００は、プロセッサ、ソフトウェア、または、これらの組み合わせ（例えば、ファームウェア）により実現される機能を表すことができる機能ブロックを含む。システム１０００は、ホームノードＢに関連した、セルのサーチおよび選択を容易にする、電気コンポーネントの論理グループ１００２を含む。論理グループ１００２は、第１のＵＥから、検出されたホームノード基地局（ホームノードＢ）に関連した通知を受信する電気コンポーネント１００４を含むことができる。さらに、論理グループ１００２は、検出されたホームノードＢに関連した情報を、第２のＵＥに伝達する電気コンポーネント１００６を含むことができる。さらに、論理グループ１００２は、検出されたホームノードＢに関連したデータの一部を活用して、ホームノードＢをノードＢと区別する電気コンポーネント１００８を含むことができる。論理グループ１００２は、データの一部に基づいて、ＵＥが、ホームノードＢと、ノードＢとのうちの少なくとも１つに接続することを可能にする電気コンポーネント１０１０を含むことができる。さらに、システム１０００は、メモリ１０１２を含むことができ、メモリ１０１２は、電気コンポーネント１００４、１００６、１００８および１０１０に関係する機能を実行する命令を保持する。メモリ１０１２に対して外部にあるように示しているが、電気コンポーネント１００４、１００６、１００８および１０１０は、メモリ１０１２の内部に存在できることを理解すべきである。
【００８７】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここで開示した実施形態に関して記述した、さまざまな実例となる、論理、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。さらに、少なくとも１つのプロセッサは、上述したステップおよび／または動作のうちの１つ以上を実行するように動作可能な１つ以上のモジュールを備えていてもよい。
【００８８】
さらに、ここで開示した観点に関して記述した方法またはアルゴリズムの、ステップおよび／または動作を、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、例示的な記憶媒体はプロセッサに結合されていてもよい。代わりに、記憶媒体はプロセッサと一体化されていてもよい。さらに、いくつかの観点において、プロセッサおよび記憶媒体は、ＡＳＩＣ中に存在してもよい。さらに、ＡＳＩＣはユーザ端末中に存在してもよい。代わりに、プロセッサおよび記憶媒体は、ユーザ端末中にディスクリートコンポーネントとして存在してもよい。さらに、いくつかの観点において、方法またはアルゴリズムのステップおよび／または動作は、コンピュータプログラムプロダクトに組み込まれていてもよい、機械読取り可能媒体および／またはコンピュータ読取り可能媒体上に、コードおよび／または命令の、１つまたはいくつかの組み合わせ、あるいは組として存在してもよい。
【００８９】
１つ以上の観点において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、コンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコードを搬送または記憶するために使用でき、そして、コンピュータによりアクセスできる他の任意の媒体を備えることができる。さらに、いくつかの接続は、コンピュータ読み取り可能媒体と呼ばれてもよい。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【００９０】
先の開示は、実例となる観点および／または実施形態を論じているが、特許請求の範囲により規定される、記述した観点および／または実施形態の範囲から逸脱することなく、さまざまな変更および修正を実施できることに注目すべきである。さらに、記述した観点および／または実施形態の要素は、単数で記述または請求されているかもしれないが、単数への制限が明示的に述べられていない限り、複数が考えられる。さらに、特に述べていない限り、何らかの観点および／または実施形態のすべてまたは一部を、他の何らかの観点および／または実施形態のすべてまたは一部とともに利用してもよい。
以下に、本願出願の当初の特許請求の範囲に記載された発明を付記する
［１］
方法において、
階層構造を利用して、少なくとも１つのノード基地局（ノードＢ）と、少なくとも１つのホームノード基地局（ホームノードＢ）とを組織し、前記階層構造は、ノードＢよりもホームノードＢを優先させることと、
ノードＢと、ホームノードＢとのうちの少なくとも１つから、システム情報ブロック（ＳＩＢ）に関連したデータの一部を受信し、前記ＳＩＢは、ユーザ機器（ＵＥ）が前記ホームノードＢを発見することを可能にするように構成されていることと、
ホームノードＢに関連した検出通知をマクロネットワークに伝達することと、
前記階層構造と、前記ＳＩＢに関連したデータの一部とのうちの少なくとも１つを用いて、前記ホームノードＢまたは前記ノードＢから前記ＵＥが選択することを可能にすることとを含む方法。
［２］
前記ＵＥにより手動のサーチを利用して、前記ホームノードＢを発見することをさらに含む上記［１］記載の方法。
［３］
モビリティファクターと、ペナルティタイマーとにより、前記ホームノードＢに対するサーチと、前記ホームノードＢの選択とを制御することをさらに含む上記［１］記載の方法。
［４］
前記ホームノードＢに対する第１の公衆陸上移動ネットワーク識別（ＰＬＭＮＩＤ）の割振りと、前記ノードＢを含むマクロネットワークに対する、第２の公衆陸上移動ネットワーク識別（ＰＬＭＮＩＤ）の割振りとを受信し、前記第１のＰＬＭＮＩＤの割振りは、前記第２のＰＬＭＮＩＤの割振りよりも優先されることと、
前記第１のＰＬＭＮＩＤの割振りと、前記第２のＰＬＭＮＩＤの割振りとを利用して、前記ホームノードＢまたは前記ノードＢから選択することとをさらに含む上記［１］記載の方法。
［５］
２以上の同等のＰＬＭＮＩＤをダイナミックに更新して、前記ＵＥがホームノードＢをサーチすることを可能にすることをさらに含む上記［４］記載の方法。
［６］
位置領域コード（ＬＡＣ）の割当てを受信することをさらに含み、前記ＬＡＣの割当ては、許可されているホームノードＢを許可されていないホームノードＢと区別するために用いられる上記［１］記載の方法。
［７］
選択されたホームノードＢに対するＰＬＭＮＩＤを受信し、前記ＵＥは、前記選択されたホームノードＢとの接続を確立していたことと、
前記選択されたホームノードＢに関係するＰＬＭＮＩＤを追跡することと、
前記追跡されたＰＬＭＮＩＤを利用して、第１のホームノードＢおよび第２のホームノードＢから選択することと、
前記追跡されたＰＬＭＮＩＤに基づいて、前記第１のホームノードＢと、前記第２のホームノードＢとのうちの少なくとも１つに接続することとをさらに含む上記［１］記載の方法。
［８］
ホームノードＢに関係するスクランブリングコードを受信することと、
ノードＢに関係するスクランブリングコードを受信することと、
受信したスクランブリングコードを評価して、新しいＳＩＢまたは既存のＳＩＢを識別することと、
前記評価を利用して、ノードＢをサーチすることと、
前記評価を利用して、ホームノードＢに対するサーチを防ぐこととをさらに含む上記［１］記載の方法。
［９］
ワイヤレス通信装置において、
少なくとも１つのノード基地局（ノードＢ）と、少なくとも１つのホームノード基地局（ホームノードＢ）とを、ノードＢよりもホームノードＢを優先させる階層構造に組織し、
ノードＢと、ホームノードＢとのうちの少なくとも１つから、システム情報ブロック（ＳＩＢ）を含む通信を受信し、
前記ホームノードＢを識別するためにＳＩＢを活用し、
ＵＥによる手動のサーチを利用して、前記ホームノードＢを発見し、
ＰＬＭＮＩＤを評価して、前記ホームノードＢと、前記ノードＢとのうちの少なくとも１つを識別し、
ＬＡＣの割当てを受信して、許可されているホームノードＢを許可されていないホームノードＢと区別し、
ホームノードＢに関連した検出通知をマクロネットワークに伝達し、
前記階層構造と、前記ＳＩＢに関連したデータの一部と、前記ＰＬＭＮＩＤと、前記手動のサーチと、前記ＬＡＣの割当てとのうちの少なくとも１つを用いて、前記ホームノードＢまたは前記ノードＢから前記ＵＥが選択することを可能にするように構成されている、
少なくとも１つのプロセッサと、
前記少なくとも１つのプロセッサに結合されているメモリとを具備するワイヤレス通信装置。
［１０］
選択されたホームノードＢに対するＰＬＭＮＩＤを受信し、前記ＵＥは、前記選択されたホームノードＢとの接続が確立されていたものであり、
前記選択されたホームノードＢに関係するＰＬＭＮＩＤを追跡し、
前記追跡されたＰＬＭＮＩＤを利用して、第１のホームノードＢおよび第２のホームノードＢから選択し、
前記追跡されたＰＬＭＮＩＤに基づいて、前記第１のホームノードＢと、前記第２のホームノードＢとのうちの少なくとも１つに接続するように構成されている少なくとも１つのプロセッサをさらに具備する上記［９］記載のワイヤレス通信装置。
［１１］
ホームノードＢに関係するスクランブリングコードを受信し、
ノードＢに関係するスクランブリングコードを受信し、
受信したスクランブリングコードを評価して、新しいＳＩＢまたは既存のＳＩＢを識別し、
前記評価を利用して、ノードＢをサーチし、または、
前記評価を利用して、ホームノードＢに対するサーチを防ぐように構成されている少なくとも１つのプロセッサをさらに具備する上記［９］記載のワイヤレス通信装置。
［１２］
装置において、
ホームノード基地局（ホームノードＢ）と、マクロ基地局に関係するノード基地局（ノードＢ）とのうちの少なくとも１つに関連したデータの一部を受信する手段と、
前記データの一部を評価してホームノードＢおよびノードＢ間の優先順位を識別する手段と、
前記評価に基づいて、ノードＢよりも、ＵＥの接続に対してホームノードＢを選択する手段と、
前記選択に基づいて、前記ホームノードBと、前記ノードＢとのうちの少なくとも１つにＵＥを接続する手段とを具備する装置。
［１３］
前記データの一部は、ホームノードＢに対するＳＩＢと、ノードＢに対するＳＩＢとのうちの少なくとも１つである上記［１２］記載の装置。
［１４］
前記ホームノードＢに対するＳＩＢは、前記ノードＢに対するＳＩＢよりも接続に対して優先される上記［１２］記載の装置。
［１５］
前記データの一部は、前記マクロネットワークに対するＰＬＭＮＩＤと、ホームノードＢに対するＰＬＭＮＩＤとのうちの少なくとも１つである上記［１２］記載の装置。
［１６］
前記ホームノードＢに対するＰＬＭＮＩＤは、前記マクロネットワークに対するＰＬＭＮＩＤよりも接続に対して優先される上記［１２］記載の装置。
［１７］
前記データの一部は、ホームノードＢに対するＬＡＣと、ノードＢに対するＬＡＣとのうちの少なくとも１つである上記［１２］記載の装置。
［１８］
前記ホームノードＢに対するＬＡＣは、前記ノードＢに対するＬＡＣよりも接続に対して優先される上記［１２］記載の装置。
［１９］
コンピュータプログラムプロダクトにおいて、
少なくとも１つのコンピュータに、少なくとも１つのノード基地局（ノードＢ）と、少なくとも１つのホームノード基地局（ホームノードＢ）とを、ノードＢよりもホームノードＢを優先させる階層構造に組織させるためのコードと、
少なくとも１つのコンピュータに、ノードＢと、ホームノードＢとのうちの少なくとも１つから、システム情報ブロック（ＳＩＢ）を含む通信を受信させるためのコードと、
少なくとも１つのコンピュータに、前記ホームノードＢを識別するためにＳＩＢを活用させるためのコードと、
少なくとも１つのコンピュータに、ＵＥによる手動のサーチを利用して前記ホームノードＢを発見させるためのコードと、
少なくとも１つのコンピュータに、ＰＬＭＮＩＤを評価して前記ホームノードＢと前記ノードＢとのうちの少なくとも１つを識別させるためのコードと、
少なくとも１つのコンピュータに、ＬＡＣの割当てを受信して、許可されているホームノードＢを許可されていないホームノードＢと区別させるためのコードと、
少なくとも１つのコンピュータに、ホームノードＢに関連した検出通知をマクロネットワークに伝達させるためのコードと、
少なくとも１つのコンピュータに、前記階層構造と、前記ＳＩＢに関連したデータの一部と、前記ＰＬＭＮＩＤと、前記手動のサーチと、前記ＬＡＣの割当てとのうちの少なくとも１つを用いて前記ホームノードＢまたは前記ノードＢから前記UEが選択することを可能にさせるためのコードと、
を備えるコンピュータ読取り可能媒体を具備するコンピュータプログラムプロダクト。
［２０］
少なくとも１つのコンピュータに、選択されたホームノードＢに対するＰＬＭＮＩＤを受信させるためのコードであって、前記ＵＥは、前記選択されたホームノードＢとの接続を確立していたコードと、
少なくとも１つのコンピュータに、前記選択されたホームノードＢに関係するＰＬＭＮＩＤを記録させるためのコードと、
少なくとも１つのコンピュータに、前記記録されたＰＬＭＮＩＤを利用して、第１のホームノードＢおよび第２のホームノードＢから選択させるためのコードと、
少なくとも１つのコンピュータに、前記記録されたＰＬＭＮＩＤに基づいて、前記第１のホームノードＢと、前記第２のホームノードＢとのうちの少なくとも１つに接続させるためのコードと、
を備えるコンピュータ読取り可能媒体をさらに具備する上記［１９］記載のコンピュータプログラムプロダクト。
［２１］
少なくとも１つのコンピュータに、新しいＳＩＢまたは既存のＳＩＢのうちの少なくとも１つにより、ホームノードＢを割り当てさせるためのコードと、
少なくとも１つのコンピュータに、ホームノードＢまたはノードＢのうちの少なくとも１つに関係するスクランブリングコードを受信させるためのコードと、
少なくとも１つのコンピュータに、前記受信したスクランブリングコードに基づいて、ノードＢをサーチさせるためのコードと、
少なくとも１つのコンピュータに、前記受信したスクランブリングコードに基づいて、ホームノードＢに対するサーチを防がせるためのコードと、
を備えるコンピュータ読取り可能媒体をさらに具備する上記［１９］記載のコンピュータプログラムプロダクト。
［２２］
装置において、
データの一部を受信するモジュールであって、前記データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである受信機モジュールと、
前記受信したデータの一部に基づいて、接続のためのホームノードＢと、接続のためのノードＢとのうちの少なくとも１つを識別するモジュールであって、前記識別されたホームノードＢを、マクロネットワークに伝達する選択モジュールと、
ユーザにより開始される手動のリクエストに基づいて、少なくとも１つのホームノードＢを発見するジュールであって、前記発見は、前記データの一部を活用するサーチモジュールとを具備する装置。
［２３］
前記ノードＢよりも、接続に対して前記ホームノードＢを優先させるオーガナイザーモジュールをさらに具備する上記［２２］記載の装置。
［２４］
方法において、
ユーザ機器（ＵＥ）から、ホームノード基地局（ホームノードＢ）に関係する検出通知を受信し、前記検出通知は、接続のためのホームノードＢを識別することと、
少なくとも１つのノード基地局（ノードＢ）と、前記少なくとも１つのホームノードＢとを、前記ノードＢよりも前記ホームノードＢに、前記ＵＥに対する接続を優先させる階層構造内に組織することと、
前記階層構造のうちの１つに基づいて、前記ＵＥと、前記ホームノードＢおよび前記ノードＢのうちの少なくとも１つとの間に接続を確立することとを含む方法。
［２５］
ホームノードＢのシステム情報ブロック（ＳＩＢ）に関連したデータの一部と、ノードＢのＳＩＢに関連したデータの一部とを送信することと、
前記データの一部に基づいて、前記ＵＥと、前記ホームノードＢおよび前記ノードＢとのうちの少なくとも１つとの間に接続を確立することとをさらに含む上記［２４］記載の方法。
［２６］
ホームノードＢに関連した公衆陸上移動ネットワーク識別（ＰＬＭＮＩＤ）と、ノードＢに関連したＰＬＭＮ ＩＤとを伝達することと、
前記ホームノードＢに関連したＰＬＭＮＩＤと、前記ノードＢに関連したＰＬＭＮ ＩＤとのうちの１つに基づいて、前記ＵＥと、前記ホームノードＢおよび前記ノードＢのうちの少なくとも１つとの間に接続を確立することとをさらに含む上記［２４］記載の方法。
［２７］
ホームノードＢに対する位置領域コード（ＬＡＣ）の割当てと、ノードＢに対するＬＡＣの割当てとを伝達することと、
前記ホームノードＢに対するＬＡＣの割当てと、前記ノードＢに対するＬＡＣの割当てとのうちの１つに基づいて、前記ＵＥと、前記ホームノードＢおよび前記ノードＢのうちの少なくとも１つとの間に接続を確立することをさらに含む上記［２４］記載の方法。
［２８］
ワイヤレス通信装置において、
ホームノード基地局（ホームノードＢ）に関係し、接続のためのホームノードＢを識別する検出通知を、ユーザ機器（ＵＥ）から受信し、
少なくとも１つのノード基地局（ノードＢ）と、前記少なくとも１つのホームノードＢとを、前記ノードＢよりも前記ホームノードＢに、前記ＵＥに対する接続を優先させる階層構造内に組織し、
前記階層構造のうちの１つに基づいて、前記ＵＥと、前記ホームノードＢおよび前記ノードＢのうちの少なくとも１つとの間に接続を確立する、
ように構成されている少なくとも１つのプロセッサと、
前記少なくとも１つのプロセッサに結合されているメモリとを具備するワイヤレス通信装置。
［２９］
ＬＡＣの割当てと、ＰＬＭＮ ＩＤと、ＳＩＢとのうちの少なくとも１つを活用して、前記ＵＥと、前記ホームノードＢおよび前記ノードＢのうちの少なくとも１つとの間に接続を確立するように構成されている少なくとも１つのプロセッサをさらに具備する上記［２８］記載のワイヤレス通信装置。
［３０］
ワイヤレス通信装置において、
第１のＵＥから、検出されたホームノード基地局（ホームノードＢ）に関連した通知を受信する手段と、
前記検出されたホームノードＢに関連した情報を第２のＵＥに伝達する手段と、
前記検出されたホームノードＢに関連したデータの一部を活用して、前記ホームノードＢをノードＢと区別する手段と、
前記データの一部に基づいて、前記ホームノードＢと、前記ノードＢとのうちの少なくとも１つに前記ＵＥが接続することを可能にする手段とを具備するワイヤレス通信装置。
［３１］
前記データの一部は、ホームノードＢに対するＳＩＢと、ノードＢに対するＳＩＢとのうちの少なくとも１つである上記［３０］記載のワイヤレス通信装置。
［３２］
前記ホームノードＢに対するＳＩＢは、前記ノードＢに対するＳＩＢよりも接続に対して優先される上記［３０］記載のワイヤレス通信装置。
［３３］
前記データの一部は、マクロネットワークに対するＰＬＭＮ ＩＤと、ホームノードＢに対するＰＬＭＮ ＩＤとのうちの少なくとも１つである上記［３０］記載のワイヤレス通信装置。
［３４］
前記ホームノードＢに対するＰＬＭＮ ＩＤは、マクロネットワークに対するＰＬＭＮ ＩＤよりも接続に対して優先される上記［３０］記載のワイヤレス通信装置。
［３５］
前記データの一部は、ホームノードＢに対するＬＡＣと、ノードＢに対するＬＡＣとのうちの少なくとも１つである上記［３０］記載のワイヤレス通信装置。
［３６］
前記ホームノードＢに対するＬＡＣは、前記ノードＢに対するＬＡＣよりも接続に対して優先される上記［３０］記載のワイヤレス通信装置。
［３７］
コンピュータプログラムプロダクトにおいて、
少なくとも１つのコンピュータに、ユーザ機器（ＵＥ）から、ホームノード基地局（ホームノードＢ）に関係する検出通知を受信させるためのコードであって、前記検出通知は、接続のためのホームノードＢを識別するコードと、
少なくとも１つのコンピュータに、少なくとも１つのノード基地局（ノードＢ）と、前記少なくとも１つのホームノードＢとを、前記ノードＢよりも前記ホームノードＢに、前記ＵＥに対する接続を優先させる階層構造内に組織させるためのコードと、
少なくとも１つのコンピュータに、前記階層構造のうちの１つに基づいて、前記ＵＥと、前記ホームノードＢおよび前記ノードＢのうちの少なくとも１つとの間の接続を可能にさせるためのコードと、
を備えるコンピュータ読取り可能媒体と、
少なくとも１つのプロセッサに結合されているメモリとを具備するコンピュータプログラムプロダクト。
［３８］
少なくとも１つのコンピュータに、ＬＡＣの割当てと、ＰＬＭＮ ＩＤと、ＳＩＢとのうちの少なくとも１つを活用して、前記ＵＥと、前記ホームノードＢおよび前記ノードＢのうちの少なくとも１つとの間の接続を可能にさせるためのコードを備えるコンピュータ読取り可能媒体をさらに具備する上記［３７］記載のコンピュータプログラムプロダクト。
［３９］
装置において、
ユーザ機器（ＵＥ）から、検出されたホームノード基地局（ホームノードＢ）を受信する受信機モジュールと、
階層構造を利用して、少なくとも１つのノード基地局（ノードＢ）と、少なくとも１つの検出されたホームノードＢとを組織するモジュールであって、前記階層構造は、ノードＢよりも前記検出されたホームノードＢを優先させるオーガナイザーモジュールと、
前記ＵＥにデータの一部を伝達するモジュールであって、前記データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである送信機モジュールとを具備する装置。
［４０］
前記伝達されたデータの一部に基づいて、前記ＵＥは、前記検出されたホームノードＢと、前記ノードＢとのうちの少なくとも１つに接続する上記［３９］記載の装置。
【図１】
0005579816.tif 000003
【図２】
0005579816.tif 000004
【図３】
0005579816.tif 000005
【図４】
0005579816.tif 000006
【図５】
0005579816.tif 000007
【図６】
0005579816.tif 000008
【図７】
0005579816.tif 000009
【図８】
0005579816.tif 000010
【図９】
0005579816.tif 000011
【図１０】
0005579816.tif 000012